(57)【要約】本発明は、データを記憶するように意図された記録担体に関連する。本発明に従って、データは、保護リンキング領域により分離された物理データクラスタを形成するための基準に従って記憶されるように意図され、前記保護リンキング領域は、リンキング領域が用いられる予め記録されたウォッブルされたグルーブにロックされた前記物理データクラスタを記憶するように意図された書き込み可能記録担体のリンキング領域とは異なるサイズである。本発明は、前記書き込み可能記録担体への前記記録担体のビット毎のコピーを回避するために役立つ。本発明は又、書き込み可能記録担体の異なる基準の互換性を制御するために役立つ。本発明のアプリケーションとしては光学的記憶がある。
2006512709.tif 000002
【特許請求の範囲】
【請求項１】
データを記憶するように意図された記録担体であって：
データは、保護リンキング領域により分離された物理データクラスタを生成するための基準に従って記憶されるように意図され、前記保護リンキング領域は、リンキング領域が用いられる予め記録されたウォッブルされたグルーブにロックされた前記物理データクラスタを記憶するように意図された書き込み可能記録担体のリンキング領域とは異なるサイズである；
ことを特徴とする記録担体。
【請求項２】
請求項１に記載の記録担体であって、該記録担体は光ディスクである、ことを特徴とする記録担体。
【請求項３】
請求項１又は２に記載の記録担体であって、該記録担体の前記保護リンキング領域は前記書き込み記録担体のリンキング領域より短い、ことを特徴とする記録担体。
【請求項４】
請求項１又は２に記載の記録担体であって、該記録担体の前記保護リンキング領域は前記書き込み記録担体のリンキング領域より長く、前記記録担体の実行可能性に不可欠なデータは前記記録担体の前記保護リンキング領域に記憶される、ことを特徴とする記録担体。
【請求項５】
請求項１乃至４の何れ一項に記載の記録担体であって、該記録担体は異なる基準の他の書き込み記録担体である、ことを特徴とする記録担体。
【請求項６】
請求項１乃至５の何れ一項に記載の記録担体であって、該記録担体はオリジナルデータを有する予め記録された記録担体である、ことを特徴とする記録担体。
【請求項７】
請求項１乃至６の何れ一項に記載の記録担体であって、該記録担体は又、隠し鍵を用いて保護を実行する、ことを特徴とする記録担体。
【請求項８】
予め記録された記録担体の製造装置であって、該製造装置はデータの物理クラスタ間の保護リンキング領域と共に記録単位ブロックを形成するための手段を有し、前記リンキング領域は、リンキング領域が用いられる予め記録されたウォッブルされたグルーブにロックされた前記物理データクラスタを記憶するように意図された（再）書き込み可能記録担体のリンキング領域とは異なるサイズである、ことを特徴とする記録担体の製造装置。
【請求項９】
予め記録された記録担体の製造方法であって、該製造方法は、データの物理クラスタ間の保護リンキング領域と共に記録単位ブロックを形成する段階を有し、前記リンキング領域は、リンキング領域が用いられる予め記録されたウォッブルされたグルーブにロックされた前記物理データクラスタを記憶するように意図された書き込み可能記録担体のリンキング領域とは異なるサイズである、ことを特徴とする記録担体の製造方法。
【発明の詳細な説明】
【技術分野】
【０００１】
本発明は、コピーされ易いデータを記憶するように意図された何れの記録キャリアに関する。本発明は、オリジナルの予め記録された記録担体に記憶されたオリジナルデータの保護に関する。本発明は又、異なる基準の書き換え可能（及び、書き込み可能）記録担体の互換性の制御に関する。
【背景技術】
【０００２】
通常のコピー中、そのような書き込み可能記録担体におけるコピーデータの書き込みは、書き込み可能記録担体のウォッブルされたグルーブに関連する物理セクタ数にデータがロックされるようにして、データの再符号化を用いる。書き込み可能ディスクにコピーされ易いデータの保護の問題は、特許文献、欧州特許第０８９９７３３号明細書に記載されている。この特許文献においては、ブロックの所定のパターンのサブコードアドレスの修正により光記録担体の製造中のコピー防止方法の処理を実施している。アドレスデータがコピー処理中に新たに生成されるため、通常、光学記録担体に不正確なアドレスデータをコピーすることは可能ではない。隠し鍵と呼ばれる、そのような修正されたサブコードアドレスは、それ故、オリジナルの記録担体とコピーされた又は非オリジナルの記録担体とを区別するために用いられる。その防止方法は製造中に実施されるため、その方法は記録担体に記録されたデータを符号化するために用いられることができる。そのような隠し鍵は、それ故、データの再符号化により後続される第１復調／符号化を適用することにより、標準的なコピーが、隠し鍵を破壊し、コピーを再実行不可能にする。それにも拘らず、ビット毎のコピーが、何れの復号化／再符号化を伴うことなく、オリジナルの古典的な記録担体からデータをコピーすることによりもたらされる。データは、それ故、そのままでコピーされるが、ディスクに存在するビットエラーが又、コピーされ、そのコピー方法は、コピー防止目的のためのフォーマットの状態にある隠し鍵の転送を可能にする。従って、ビット毎のコピーは、オリジナルの記録担体における隠しチャネル鍵のような一部のコピー防止手段を回避する方法である。
【発明の開示】
【発明が解決しようとする課題】
【０００３】
本発明の目的は、書き込み可能記録担体にビット毎にコピーされることから記憶データを保護する記録担体を提供することである。
【課題を解決するための手段】
【０００４】
このために、本発明は、データが保護リンキング領域により分離された物理データクラスタを生成するための基準に従って記憶されるように意図されており、前記リンキング領域は、リンキング領域が用いられる、予め記録されたウォッブルされたグルーブにロックされたデータを記憶するように意図されている書き込み可能記録担体のシンキング領域とは異なるサイズであることを特徴とする記録担体を提供する。
【０００５】
例えば、ブルーレイディスク書き込み可能記録担体において、物理データクラスタのアドレスユニット数は、従来、ウォッブルされたアドレスにリンクされている。前記アドレスユニット数は、例えば、ブルーレイディスク（ＢＤ）フォーマットの状態で物理クラスタの厳重に保護されたＢＩＳ列において、データフォーマットに記憶される。物理クラスタは２つのリンキング領域により範囲を定められている。
【０００６】
そのようなリンキング領域は、分離された物理クラスタを置き換えることを目的として、マージンを生成するために用いられる。それ故、記憶されたデータを有する物理データクラスタは、予め記録されたウォッブルされたグルーブのウォッブルアドレスにアドレス単位数にリンクすることによりそれらの絶対位置にロックされる。このことは又、書き込み可能記録担体の速い定位化を可能にする。前記リンキング領域は、（再）書き込み可能記録担体の各々の基準についての特定の基準化されたサイズを有する。
【０００７】
リーダは、そのような（再）書き込み可能ディスクの読み取りを実現するために、ウォッブルアドレスとアドレス単位数との間の結合を必要とする。
【０００８】
書き込み可能記録担体へのコピーを防止する必要があるデータを記憶するように意図された記録担体に異なるサイズの保護リンキング領域を有することにより、ビット毎のコピー処理は前記記録担体の良好なコピーを提供する。効果的には、ビット毎のコピーは、（再）書き込み可能記録担体における物理データクラスタがもはやウォッブルアドレスと位置合わせされていないことを意味する。
【０００９】
有利な実施形態に従って、前記記録担体の前記保護リンキング領域は、ウォッブル記録担体のリンキング領域より短い。
【００１０】
好適な実施形態に従って、前記記録担体の前記保護リンキング領域は、（再）ウォッブル記録担体のリンキング領域より長く、前記記録担体の再実行可能性に不可欠なデータは、前記記録担体の前記保護リンキング領域に記憶される。
【００１１】
第１アプリケーションにおいては、前記記録担体は、異なる基準の他の（再）書き込み可能記録担体である。そのようなアプリケーションにおいては、本発明は、同じ論理フォーマットの、即ち、同じグループの基準に一般的に属するデータを記憶するように意図された幾つかの基準の互換性を制御することが可能である。このことは、商業的に価値の高い特徴となり得るものである。そのような基準は、ブルーレイ基準、又はＳｍａｌｌ  Ｆｏｒｍ  Ｆａｃｔｏｒ  Ｏｐｔｉｃａｌ（ＳＦＦＯ）基準であることが可能である。再書き込み可能基準は、ランダム書き込みの問題が重要であるため、本発明が、特に関連している。
【００１２】
第２アプリケーションにおいては、前記記録担体は、オリジナルデータを有する予め記録された記録担体である。そのようなアプリケーションにおいては、前記オリジナルデータは、一般に、コンテンツオーナーにより配られる予め記録されたデータである。
【００１３】
本発明は隠れ鍵保護と有利に結合される。データの符号化及び復号化を用いることによる名目上のコピーは、隠れ鍵を破壊するために、有用ではなく、ビット毎のコピーは読み取り不可能な記録担体をもたらす。
【発明を実施するための最良の形態】
【００１４】
図１ａは、リンキング領域を有する予め記録されたウォッブルされたグルーブＷＯＢにロックされたデータを記憶するように意図された書き込み可能記録キュアリアに古典的に実施された記録単位ブロックＲＵＢを示している。予め記録されたウォッブルされたグルーブにより表された情報は、用いられる基準に依存して、“プレグルーブにおける絶対時間（ＡＴＩＰ）”又は”プレグルーブにおけるアドレス（ＡＤＩＰ）と、通常、呼ばれる。ＡＤＩＰデータは、ディスク速度、ライトストラテジ及びディスクの種類に関するセクタ情報及び物理データにリンクされたアドレス及び同期情報を有する。
【００１５】
ブルーレイディスクにおいては、１つの記録単位ブロックＲＵＢは、ＡＤＩＰ語にリンクされている。１つのＡＤＩＰ語は、アドレス情報であって、例えば、物理ＡＤＩＰアドレスの１９＋５ビットを有する。各々のＡＤＩＰは、それ故、２４ビットの１つのアドレスを有する。１つのＡＤＩＰ語は８３個のＡＤＩＰ単位を有し、１つのＡＤＩＰ単位は、データを有する２つの記録フレームにリンクされる。１つのＡＤＩＰ単位は５６個の５６個の名目上のウォッブル長ＮＷＬを有する。これらの５６個のＮＷＬにおいて、一部の位置においては、ウォッブル期間を通常のウォッブリングから変化させることができる。変化させられたウォッブルは変調マーク（ＭＭ）と呼ばれる。変調マークＭＭは３つの名目上のウォッブル長ＮＷＬの長さである。隣接ＭＭ間の特異な距離を有するＡＤＩＰ単位の５６個のＮＷＬにＭＭを挿入することにより、異なる種類のＡＤＩＰ単位を生成することができる。そのような方法においては、“１”、“０”及び“同期”構造のような異なる符合を表すために、ＡＤＩＰ単位を用いることができる。変調マークＭＭは、Ｍｉｎｉｍｕｍ  Ｓｈｉｆｔ  Ｋｅｙｉｎｇ、即ち、余弦変化変調（ｃｏｓｉｎｅ  ｖａｒｉａｎｔ  ｍｏｄｕｌａｔｉｏｎ）方法及び高調波変調波変調方法（Ｈａｒｍｏｎｉｃ  Ｍｏｄｕｌａｔｅｄ  Ｗａｖｅ  ｍｏｄｕｌａｔｉｏｎ  ｍｅｔｈｏｄ）を用いて形成される。
【００１６】
それらが同期構造及びデータビット等を表すとき、アドレスフォーマットに対する基本単位としてＡＤＩＰ単位を用いることができる。アドレスに対するデータフォーマットは、ＡＤＩＰ語にＡＤＩＰ単位を結合させることにより設定される。従って、記録単位ブロック当たり３つのアドレスが存在する。ウォッブルされたグルーブＷＯＢは、ディスクにおける定位化を提供するように、ＡＤＩＰ語によりトラックに沿って変調される。図１ａに、ウォッブルアドレスを決定することを可能にする特定の変調ＷＡを示している。リンキング領域を用いて、予め記録されたウォッブルされたグルーブＷＯＢにロックされたデータを記憶するように意図された（再）書き込み可能記録担体において、記憶されるべき固定の所定のデータ量は、物理クラスタＰＨＣの状態で記録装置によりフォーマットされる。そのような物理クラスタＰＨＣは、本発明が関連する読み取り可能記録担体の基準により規定される論理フォーマットにおけるデータを有する。それ故、前記記録装置は記録単位ブロックを準備し、その記録単位ブロックは、データランインＲＩＮ、物理クラスタＰＨＣ及びデータランアウトＲＯＵＴを有する。リンキング領域ＬＡは、２つの連続的な記録された物理クラスタＰＨＣ間のランインＲＩＮ及びランアウトＲＯＵＴのアセンブリにより構成されている。
【００１７】
前記ランインＲＩＮ及びランアウトＲＯＵＴの役割及びコンテンツについて、次に説明する。書き込み可能記録担体の基準は、しばしば、ランダムアクセスフォーマットである。従って、記録担体の定位化は速く且つ容易であることが必要である。更に、各々の記録単位ブロックＲＵＢは他から分離された状態で読み取られることが必要である。それ故、一部の特定のパターンは、信号処理を支援するように前記リンキング領域に書き込まれる。これは、前記リンキング領域を構成する前記ランインＲＩＮ及びランアウトＲＯＵＴの第１機能である。リンキング領域は又、書き込み中にＲＵＢの物理クラスタＰＨＣに存在するユーザデータ領域におけるオーバーラッピングを回避するために生成される。
【００１８】
例えば、図２ａに示しているように、ランインＲＩＮは、次のＲＵＢを読み出すようにロッキング及び同期が起こる前に、電子回路をリセットするように十分適合された、ある特定のシーケンスを有するバンドＧＵＡＲＤ１で開始する。又、ランインにおいては、信号処理の同期及びロッキングの役に立つフィールドＰＲＡ（ＧＵＡＲＤ１の後）を有する。
【００１９】
次いで、次の記録単位ブロックＲＵＢの読み取りが繰り返される。記録単位ブロックＲＵＢが読み込まれた後、図２ｂに示すような信号処理により用いられるフィールドＰＯＡを有するランアウトＲＯＵＴが存在する。前の記録単位ブロックＲＵＢのデータの終了が、それ故、示される。次いで、ランアウトＲＯＵＴは、特定のシーケンスを有するバンドＧＵＡＲＤ２を有する。前記バンドＧＵＡＲＤ２は、次の記録単位ブロックＲＵＢのランインＲＩＮのバンドＧＵＡＲＤ１において継続される。
【００２０】
図１ｂは、本発明の記録担体に対する記録単位ブロックＲＵＢＢについて示している。本発明に従って、図１ｂに示すように、保護リンキング領域ＰＬＡは本発明の記録担体において挿入され、そのような保護リンキング領域ＰＬＡは、コピーが生じ得る書き込み可能記録担体のリンキング領域ＬＡのサイズとは異なるサイズを有する。図１ｂにおいては、ＲＩＮは、図１ａに示している書き込み可能記録担体に比べて、本発明の記録担体においてより小さい。
【００２１】
本発明の記録担体は、異なるフォーマットの（再）書き込み可能記録担体であることが可能であるが、同じ論理フォーマットでデータを記憶することができる。この場合、リンキング領域ＰＬＡの存在が必要である。本発明の記録担体は、代替として、予め記録された記録担体であることが可能である。この場合、リンキング領域ＰＬＡは機能を有していない。一般に、リードアウトは連続的である。それにも拘らず、（再）書き込み可能記録担体と整合している基準が、そのような予め記録された記録担体に一部のリンキング領域を挿入することは有用である。本発明の記録担体の前記ランインＲＩＮは、異なる性質のデータ又は読み解き可能記録担体のランインＲＩＮに存在するデータに類似したデータを有することが可能である。一部の可能性について、次のように示す。例えば、本発明の記録担体のランインＲＩＮ及びランアウトＲＯＵＴは、記録単位ブロックＲＵＢを位置付けることを可能にする、異なるアドレスのコピーのような情報を有することが可能である。これは、記憶されているデータへの速いアクセスに対して有用である。
【００２２】
ビット毎のコピーに関する本発明の効果について、図３及び図４に示している。それら両方の図において、矢印で示しているビット毎の符号化は、ウォッブルアドレスＷＡと記録単位ブロックＲＵＢＢとの間の非整列をもたらす。結果的に、コピーが実行されることはない。例えば、ブルーレイフォーマットにおいて、ウォッブルアドレスは、ＡＤＩＰ語の開始における小さい部分ＷＡではなく、ＡＤＩＰ語の大きい部分を占める。その非整合は、従って、ウォッブル全てに沿って存在する。
【００２３】
図３及び４においては、非整合の影響が重なる。幾つかの記録単位ブロックＲＵＢＢの後、記録単位ブロックＲＵＢＢ全ては、誤ったＡＤＩＰアドレスで完全に“覆われる”。完全に誤った覆いが得られた後の正確な数は、書き込み可能記録担体のシンキング領域と本発明の記録担体の保護領域との間の長さの差に依存する。
【００２４】
図３においては、本発明の記録担体の２つの記録単位ブロックＲＵＢＢ間の保護リンキング領域ＰＬＡは、書き込み可能記録担体の２つの記録単位ブロックＲＵＢＢ間のリンキング領域より短い。２つの連続記録単位ブロックＲＵＢＢのＲＯＵＴとＲＩＮを有するウォッブルアドレスＷＡの非整合が観測される。コピーされた記録担体は正確に実行されることができない。それにも拘らず、隠し鍵による付加的保護がない場合、復号化／符号化による標準的なコピーはうまくいくこととなる。前記リンキング領域が異なるサイズを有する場合でさえ、本発明の記録担体において読み取られたデータを復号化することが効果的に可能である。付加的保護手段（例えば、隠し鍵による）が存在しない場合、再符号化は記録担体のコピーを成功裏に可能にする。
【００２５】
図４においては、本発明の記録担体の２つの記録単位ブロックＲＵＢＢ間の保護リンキング領域ＰＬＡは、もはや書き込み可能記録担体のリンキング領域ＬＡより長い。非整合は又、そのような実施形態において観測される。更に、この場合、不可欠なデータＥＤを有する前記保護リンキング領域ＰＬＡであって、特に、拡張部分と呼ばれる補足部分を埋めることが可能である。そのような不可欠なデータＥＤは、コピー保護のための情報であることが可能である。保護鍵は又、そのような保護リンキング領域ＰＬＡに記憶されることが可能である。専用データであるアプリケーションにより必要な情報は、そのような長い保護リンキング領域ＰＬＡに有利に記憶されることが可能である物理クラスタＰＨＣに記憶される。それ故、ハッカーは、書き込み可能記録担体のリンキング領域ＬＡのサイズに保護リンキング領域ＰＬＡを短くすることができず、復号化／再符号化によってさえできず、情報は破線領域ＬＳＴにおいて失われる。それ故、本発明に従って、標準的なコピー及びビット毎のコピーを防止することが可能である。効果的には、一般に、コピー保護情報は、少なくとも主データと同じくらいロバストであるか又は主データより更にロバストである必要があるが、前記保護リンキング領域の拡張領域に存在するコピー保護情報は主データよりロバスト性が低いことが可能である。
【００２６】
図３及び４は、予め記録された記録担体のコピーの場合について、更に詳細に研究したものである。同じ論理フォーマットにおいてデータを記憶するように意図された（再）書き込み可能基準記録担体に対する本発明の適用においては、本発明の書き込み可能記録担体は、前記保護リンキング領域ＰＬＡのサイズに適合されたウォッブルされたグルーブを有する。リンキング領域は、有利には、ＡＤＩＰ単位のサイズの倍数である。それ故、例えば、本発明の書き込み可能記録担体は、単一のＡＤＩＰ単位の長さの保護リンキング領域ＰＬＡを有し、オリジナルの（再）書き込み可能記録担体は２つのＡＤＩＰ単位の長さのリンキング領域ＬＡを有する。本発明は、それ故又、同じフォーマットのグループ、即ち、同じ論理データフォーマットに属する異なる基準間の互換性を制御することが可能である。
【００２７】
図５は、本発明に従った予め記録された記録担体ＲＤＳＣを製造するための記録装置の模式図である。この図は又、ブランクの記録担体ＢＤＳＣから本発明の予め記録された記録担体の製造方法を示している。
【００２８】
記憶されるべきデータＤＡＴは、前記保護リンキング領域ＰＬＡに対するコンテンツと同様に、符号化器ＥＮＣに供給される。前記コンテンツは、コピーが防止されるようにされる基準の書き込み可能記録担体のリンキング領域ＬＡのサイズとは異なるサイズを保護リンキング領域ＰＬＡが有するようになっている。符号化器ＥＮＣは、それ故、記録単位ブロックＲＵＢＢを準備する。その記録単位ブロックＲＵＢＢは、光で前記ブランクの記録担体ＢＤＳＣを照射するための手段を有する光ヘッド部ＯＨＵに供給される。本発明に従って、予め記録された記録担体は、前記の予め記録された記録担体からコピーされたデータを記憶することができる書き込み可能記録担体のサイズとは異なるサイズの保護リンキング領域ＰＬＡを有する。
【００２９】
本発明の書き込み可能記録担体は、前記保護リンキング領域ＰＬＡと整合した状態にあるウォッブルされたグルーブを形成することにより得られる。ウォッブルされたグルーブが形成された記録担体を製造する何れの装置は、本発明の書き込み可能記録担体を製造するために用いられることが可能である。
【００３０】
上記の図は、本発明の特定の実施形態の例示であって、限定的なものではない。本発明は、データウォッブルフォーマットのためのビット毎のコピーの汎用解決方法である。
【００３１】
本発明の原理から実質的に逸脱することなく、上記のような本発明の例示としての実施形態に対して多くの修正及び変更を実施することが可能であることを、当業者は理解しているであろう。そのような修正及び変更全てはそれらの包含されるように意図されている。
【図面の簡単な説明】
【００３２】
【図１ａ】リンキング領域を有するあらかじめ記録されたウォッブルされたグルーブにロックされたデータを記憶するように意図された書き込み可能記録担体において古典的に実行された記録単位ブロックを示す図である。
【図１ｂ】本発明に従って記録担体において実行された記録単位ブロックを示す図である。
【図２】本発明に従った（再）書き込み可能記録担体に、本発明の有利な実施形態に従った記録担体のビット毎のコピーを例示することにより本発明の機能性を示す図である。
【図３】本発明に従った書き込み可能記録担体に、本発明の好適な実施形態に従った記録担体のビット毎のコピーを例示することにより本発明の機能性を示す図である。
【図４】本発明に従った記録担体を製造するための方法及び装置のブロック図である。
2006512709.tif 000003
2006512709.tif 000004
【図３】
2006512709.tif 000005
【図４】
2006512709.tif 000006
【図５】
2006512709.tif 000007
【国際調査報告】
2006512709.tif 000008
2006512709.tif 000009
2006512709.tif 000010